(57)【要約】【課題】母線バーの配設が容易であり、分電盤の製作が容易な母線バー支持具を提供する。【解決手段】本体部２に、母線バーの端部を嵌合可能な凹部３が、上下方向に複数並設され、本体部２から前方に突出する短絡防止壁部４が、隣合う凹部３と凹部３との間、最も上の凹部３と本体部２の上端部との間、及び、最も下の凹部３と本体部２の下端部との間に、それぞれ設けられ、各凹部３の後面３３は、全面が閉鎖されている母線バー支持具１。【選択図】図１
0003125664.tif 000002
【実用新案登録請求の範囲】
【請求項１】
分電盤の盤面に垂直な方向を上下方向としたときに、上下方向に並設されるとともに前記盤面に対して板面が平行となるように配設される複数の長尺板状の母線バーを支持するための母線バー支持具であって、
前記盤面に取付可能に構成された本体部を備え、
前記本体部に、前記母線バーの長手方向における端部を嵌合可能な凹部が、上下方向に複数並設され、
前記凹部に前記端部を嵌合した場合における前記母線バーの延設方向を前方としたときに、前記本体部から前方に突出する短絡防止壁部が、隣合う前記凹部と前記凹部との間、最も上の前記凹部と前記本体部の上端部との間、及び、最も下の前記凹部と前記本体部の下端部との間に、それぞれ設けられ、
前記各凹部の後面は、全面が閉鎖され、又は、前記母線バーが通過不可能な開口部以外は閉鎖されている
ことを特徴とする母線バー支持具。
【請求項２】
前記本体部から後方に、支持部が突設され、
前記支持部は、前記本体部を前記盤面に取り付けたときに下面が前記盤面に接するように構成されている
ことを特徴とする請求項１記載の母線バー支持具。
【請求項３】
前記本体部は、左側面と前面との間の角部、及び、右側面と前面との間の角部が、それぞれ、丸められていることを特徴とする請求項１又は２記載の母線バー支持具。
【請求項４】
前記各短絡防止壁部は、左側面と前面との間の角部、及び、右側面と前面との間の角部が、それぞれ、丸められていることを特徴とする請求項１、２又は３記載の母線バー支持具。
【請求項５】
前記凹部の後部に、上下方向の幅が前記凹部の前部の上下方向の幅よりも狭小な狭小部が設けられていることを特徴とする請求項１、２、３又は４記載の母線バー支持具。
【請求項６】
前記本体部が、左右方向の幅が２５ｍｍの略直方体状をなし、
前記各凹部が、左右方向に開放されている
ことを特徴とする請求項１、２、３、４又は５記載の母線バー支持具。
【請求項７】
盤面に垂直な方向を上下方向としたときに、上下方向に並設されるとともに前記盤面に対して板面が平行となるように配設される複数の長尺板状の母線バーを、請求項１〜６のいずれかに記載の母線バー支持具で支持したことを特徴とする分電盤。
【考案の詳細な説明】
【技術分野】
【０００１】
本考案は、分電盤の母線バーを支持するための母線バー支持具、及び、その母線バー支持具を用いた分電盤に関する。
【背景技術】
【０００２】
従来、分電盤の盤面に垂直な方向を上下方向としたときに、上下方向に並設されるとともに盤面に対して板面が平行となるように配設される複数の長尺板状の母線バーを支持するための母線バー支持具として、図６に示すものがあった。
【０００３】
図６に示す母線バー支持具１０１は、最下段の母線バー１０８を支持するものであり、上面中央部に母線バー１０８が嵌合される凹部１０２を有し、凹部１０２には、上方に突出する２つの突起部１０３が設けられている。また、母線バー支持具１０１の両側部には、それぞれ孔１０４が設けられ、孔１０４から下方に、中央にボルト挿通孔１０７を有する筒状部１０５が延設されている。
【０００４】
また、母線バー支持具１０１Ｂは、最下段以外の母線バー１０８を支持するものであり、母線バー支持具１０１の凹部１０２、突起部１０３、孔１０４、及び、筒状部１０５とそれぞれ同様に構成された、凹部１０２Ｂ、突起部１０３Ｂ、孔１０４Ｂ、及び、筒状部１０５Ｂを有している。但し、筒状部１０５は、下端面が母線バー支持具１０１の本体部の下端面１０６に揃っているのに対し、筒状部１０５Ｂは、下端部が母線バー支持具１０１Ｂの本体部の下端面１０６Ｂより若干突出している。
【０００５】
母線バー支持具１０１、１０１Ｂで複数の母線バー１０８を支持するときは、まず、最下段となる母線バー１０８に、母線バー支持具１０１の突起部１０３、１０３に対応するように２つの孔１０８ａを穿設し、母線バー１０８を凹部１０２に嵌合するとともに、突起部１０３、１０３を孔１０８ａ、１０８ａに嵌合する。母線バー１０８に孔１０８ａ、１０８ａを穿設して突起部１０３、１０３に嵌合するのは、凹部１０２が、母線バー１０８の延設方向のみならずその反対方向（図６の実線矢印方向）にも開放されていることから、母線バー１０８が抜脱してしまうことを防止するためである。
【０００６】
次に、筒状部１０５Ｂ、１０５Ｂの下端部が、それぞれ、母線バー支持具１０１の孔１０４、１０４に嵌合されるように、母線バー支持具１０１の上に母線バー支持具１０１Ｂを重ねる（図６の二点鎖線矢印参照）。すると、筒状部１０５のボルト挿通孔１０７と筒状部１０５Ｂのボルト挿通孔１０７Ｂとが、上下に連結されることとなる。
【０００７】
そして、母線バー支持具１０１Ｂの凹部１０２Ｂに、母線バー支持具１０１の場合と同様に、孔１０８ａ、１０８ａを穿設した２段目の母線バー１０８（図示せず）を嵌合する。そして更に、その上に他の母線バー支持具１０１Ｂを重ねる。同様に、母線バー支持具１０１Ｂの凹部１０２Ｂに母線バー１０８を嵌合して、上に他の母線バー支持具１０１Ｂを重ねることを繰り返して、所定数の母線バー１０８を母線バー支持具１０１、１０１Ｂで支持する。
【０００８】
最後に、それら重ねられた母線バー支持具１０１、１０１Ｂのボルト挿通孔１０７、１０７Ｂに、上方からボルトを挿通し盤面に取着することにより、母線バー支持具１０１、１０１Ｂは、複数の母線バー１０８を支持した状態で、盤面に取着されることとなる。
【考案の開示】
【考案が解決しようとする課題】
【０００９】
しかし、上述した従来の母線バー支持具１０１、１０１Ｂは、各母線バー１０８に孔１０８ａ、１０８ａを穿設することが必要であるため、母線バー１０８の配設が容易でなく、延いては、分電盤の製作が容易でないという問題があった。
【００１０】
この考案は、上述した問題を解決するものであり、母線バーの配設が容易であり、分電盤の製作が容易な母線バー支持具を提供することを目的とする。
【課題を解決するための手段】
【００１１】
請求項１記載の母線バー支持具は、分電盤の盤面に垂直な方向を上下方向としたときに、上下方向に並設されるとともに前記盤面に対して板面が平行となるように配設される複数の長尺板状の母線バーを支持するための母線バー支持具であって、前記盤面に取付可能に構成された本体部を備え、前記本体部に、前記母線バーの長手方向における端部を嵌合可能な凹部が、上下方向に複数並設され、前記凹部に前記端部を嵌合した場合における前記母線バーの延設方向を前方としたときに、前記本体部から前方に突出する短絡防止壁部が、隣合う前記凹部と前記凹部との間、最も上の前記凹部と前記本体部の上端部との間、及び、最も下の前記凹部と前記本体部の下端部との間に、それぞれ設けられ、前記各凹部の後面は、全面が閉鎖され、又は、前記母線バーが通過不可能な開口部以外は閉鎖されていることを特徴とする。
【００１２】
ここで、請求項２記載の母線バー支持具のように、前記本体部から後方に、支持部が突設され、前記支持部は、前記本体部を前記盤面に取り付けたときに下面が前記盤面に接するように構成されていることが好ましい。
【００１３】
また、請求項３記載の母線バー支持具のように、前記本体部は、左側面と前面との間の角部、及び、右側面と前面との間の角部が、それぞれ、丸められていることが好ましい。
【００１４】
また、請求項４記載の母線バー支持具のように、前記各短絡防止壁部は、左側面と前面との間の角部、及び、右側面と前面との間の角部が、それぞれ、丸められていることが好ましい。
【００１５】
また、請求項５記載の母線バー支持具のように、前記凹部の後部に、上下方向の幅が前記凹部の前部の上下方向の幅よりも狭小な狭小部が設けられていることが好ましい。
【００１６】
また、請求項６記載の母線バー支持具のように、前記本体部が、左右方向の幅が２５ｍｍの略直方体状をなし、前記各凹部が、左右方向に開放されていることが好ましい。
【００１７】
請求項７記載の分電盤は、盤面に垂直な方向を上下方向としたときに、上下方向に並設されるとともに前記盤面に対して板面が平行となるように配設される複数の長尺板状の母線バーを、本発明の母線バー支持具で支持したことを特徴とする。
【考案の効果】
【００１８】
請求項１記載の母線バー支持具は、本体部に、母線バーの長手方向における端部を嵌合可能な凹部が、上下方向に複数並設され、各凹部の後面は、全面が閉鎖され、又は、母線バーが通過不可能な開口部以外は閉鎖されているので、嵌合した母線バーが後方に抜脱する虞がない。このため、母線バーに孔を穿設する必要がなく、母線バーの配設が容易であり、分電盤の製作が容易である。そして、本体部から前方に突出する短絡防止壁部が、隣合う凹部と凹部との間、最も上の凹部と本体部の上端部との間、及び、最も下の凹部と本体部の下端部との間に、それぞれ設けられているので、堆積した埃により母線バー同士が短絡してしまう虞が小さい。
【００１９】
請求項２記載の母線バー支持具は、本体部から後方に支持部が突設され、支持部は、本体部を盤面に取り付けたときに下面が盤面に接するように構成されているので、盤面を垂直に立てたときに、本体部と母線バーの重量を支持部で支えることができ、十分な耐荷重を有することとなる。
【００２０】
請求項３記載の母線バー支持具は、本体部の左右の各側面と前面との間の角部がそれぞれ丸められているので、盤面を垂直に立てたときに、本体部の前面が上方を向く状態となっても、本体部の前面に埃が堆積しにくく、堆積した埃により母線バー同士が短絡してしまう虞を更に低減できる。
【００２１】
請求項４記載の母線バー支持具は、各短絡防止壁部の左右の各側面と前面との間の角部がそれぞれ丸められているので、盤面を垂直に立てたときに、各短絡防止壁部が上方を向いて突出する状態となっても、各短絡防止壁部に埃が堆積しにくく、堆積した埃により母線バー同士が短絡してしまう虞を更に低減できる。
【００２２】
請求項５記載の母線バー支持具は、凹部の後部に、上下方向の幅が凹部の前部の上下方向の幅よりも狭小な狭小部が設けられているので、凹部の前部の上下方向の幅を、第１の規格の母線バーの厚みに合わせ、狭小部の上下方向の幅を、第１の規格よりも薄い第２の規格の母線バーの厚みに合わせれば、２つの規格の母線バーに使用することができる。
【００２３】
請求項６記載の母線バー支持具は、本体部が、左右方向の幅が２５ｍｍの略直方体状をなし、各凹部が左右方向に開放されているので、２５ｍｍの幅を単位とする協約形ブレーカと混在させて母線バーの長手方向に沿って配設するときに、配設が容易であり、分電盤の製作が容易である。
【００２４】
請求項７記載の分電盤によれば、請求項１〜６のいずれかに記載の母線バー支持具で、母線バーを支持するので、分電盤の製作が容易である。
【考案を実施するための最良の形態】
【００２５】
以下、本考案の一実施形態を、図面に基づいて説明する。母線バー支持具１は、図１〜３に示すように、凹部３が上下方向に複数（本実施形態では３つ）並設された本体部２と、本体部２から前方に突出して上下方向に複数（本実施形態では４つ）並設された短絡防止壁部４と、本体部２から後方に突設された２つの支持部５とを、備えている。本体部２と短絡防止壁部４と支持部５とは、難燃性の合成樹脂等の絶縁物で一体形成されている。
【００２６】
なお、図３における矢印Ａ方向を母線バー支持具１の上下方向とし、矢印Ｂ方向を前方、その反対方向を後方とする。すなわち、母線バー支持具１では、母線バー支持具１を分電盤の盤面（基板面）１０に取着した状態において盤面１０に垂直な方向を上下方向とし、凹部３に母線バー８の長手方向における端部８１を嵌合した場合における母線バー８の延設方向を前方とする。また、上下方向及び前後方向に垂直な方向を、母線バー支持具１の左右方向とする。
【００２７】
本体部２は、左右方向の幅Ｗ（図２参照）が２５ｍｍの略直方体状をなし、後部にボルト挿通孔６が上下方向に穿設されて、ボルト７で盤面１０に取付可能とされている。本体部２は、左側面２３と前面２５との間の角部２１、及び、右側面２４と前面２５との間の角部２２が、それぞれ、丸められている。
【００２８】
各凹部３は、前方に開放されるとともに左右方向に開放されているおり、このため、本体部２は側面視において櫛形状をなしている。各凹部３１の後面３３は、全面が閉鎖されている。
【００２９】
各凹部３の後部には、上面及び下面に段差を設けることにより、上下方向の幅Ｗ１（図３参照）が凹部３の前部３２の上下方向の幅Ｗ２（図３参照）よりも狭小な狭小部３１が、設けられている。本実施形態では、各凹部３の前部３２の上下方向の幅Ｗ２が略４ｍｍ、狭小部３１の上下方向の幅Ｗ１が略３ｍｍとされており、このため、各凹部３は、厚さ３ｍｍの母線バー８及び厚さ４ｍｍの母線バー８を嵌合可能である。なお、母線バー８は、導体で長尺板状に形成され、厚さ（板厚）等の寸法は規格化されている。
【００３０】
短絡防止壁部４は、隣合う凹部３と凹部３との間、最も上の凹部３と本体部２の上端部との間、及び、最も下の凹部３と本体部２の下端部との間に、それぞれ設けられている。各短絡防止壁部４は、左側面４３と前面４５との間の角部４１、及び、右側面４４と前面４５との間の角部４２が、それぞれ、丸められている。
【００３１】
各支持部５は、三角形状の板状をなし、図３に示すように、本体部２を盤面１０に取り付けたときに下面が盤面１０に接するように構成されている。
【００３２】
以上のように構成された母線バー支持具１を用いて、母線バー８を支持するときは、図３に示すように、ボルト挿通孔６にボルト７を挿通することにより、母線バー支持具１を盤面１０に取着する。なお、盤面１０には、ボルト７が挿通される孔を穿設しておく。
【００３３】
そして、母線バー支持具１の各凹部３に、３本の母線バー８の一方の端部８１をそれぞれ嵌合する。ここで、母線バー８の厚さが４ｍｍの場合には、図３に示すように前部３２と狭小部３１との段差部分に当接するように端部８１を嵌合し、母線バー８の厚さが３ｍｍの場合には、狭小部３１まで端部８１を嵌合して、凹部３の後面３３に端部８１を当接させる。
【００３４】
同様に、母線バー８の他方の端部８１を、別の母線バー支持具１の各凹部３にそれぞれ嵌合し、その母線バー支持具１を、ボルト挿通孔６にボルト７を挿通することにより、盤面１０に取着する。
【００３５】
すると、３本の母線バー８が、２つの母線バー支持具１で支持されて、盤面１０に垂直な方向を上下方向としたときに、上下方向に並設されるとともに盤面１０に対して板面が平行となるように配設される。
【００３６】
分電盤は、盤面１０を垂直に立てた状態で壁等に配設される。母線バー８の長手方向が垂直方向となるように盤面１０を垂直に立てた例を、図４に示す。図４では、母線バー８の下側の端部８１を、２つの母線バー支持具１で支持している。また、括弧付き符号１Ａで示すように、母線バー８の短手方向（幅方向）における端部を凹部３に嵌合することにより、母線バー８をその短手方向からも支持している。凹部３は左右方向に開放されているので、かかる配設が可能である。
【００３７】
そして、図４の例では、矢印で示すように、実用新案登録第３１１３２５６号公報に示す接続器９（同公報の図１参照）を母線バー３に係着し、接続器９に対してブレーカ（図示せず）を接続することにより、分電盤を製作する。勿論、接続器９以外の接続器を用いて、母線バー８にブレーカを接続してもよい。
【００３８】
以上説明したように、母線バー支持具１を用いて母線バー８を支持して分電盤を製作すれば、凹部３の後面が閉鎖されており、凹部３に嵌合した母線バー８が後方から抜脱する虞がないため、母線バー８に孔を穿設する必要がなく、母線バー８を凹部３に嵌合するだけで支持できる。このため、母線バー８の配設が容易であり、延いては、分電盤の製作が容易となる。
【００３９】
また、母線バー支持具１は、凹部３が、上下方向の幅Ｗ１が前部３２の上下方向の幅Ｗ２よりも狭小な狭小部３１を、有しているので、前部３２の上下方向の幅Ｗ２を、第１の規格（例えば４ｍｍ）の母線バー８の厚みに合わせ、狭小部３１の上下方向の幅Ｗ１を、第１の規格よりも薄い第２の規格（例えば３ｍｍ）の母線バー８の厚みに合わせれば、２つの規格の母線バー８に使用することができる。
【００４０】
また、短絡防止壁部４が、母線バー８同士、最も下の母線バー８と盤面１０、及び、最も上の母線バー８とその上方に配設される分電盤カバー（図示せず。）を、それぞれ、隔てることとなるので、堆積した埃により母線バー８同士が短絡したり、母線バー８と盤面１０や分電盤カバーとの間で短絡が生じたりする虞が小さい。
【００４１】
また、母線バー８の長手方向が垂直になるように盤面１０を立てたときには、支持部５、５が母線バー８及び本体部１０の重量を支えるので、母線バー支持具１は十分な耐荷重を有する。
【００４２】
また、母線バー８の長手方向が垂直になるように盤面１０を立てたときには、下側の母線バー支持具１は、本体部２の前面２５が上方を向く状態となるが、角部２１、２２がそれぞれ丸められているので、埃が滑り落ち易く、前面２５に埃が堆積しにくい。このため、堆積した埃により短絡が生じる虞を更に低減できる。同様に、各短絡防止壁部４も上方を向いて突出する状態となるが、角部４１、４２がそれぞれ丸められているので、埃が滑り落ちて、各短絡防止壁部４に埃が堆積しにくく、短絡が生じる虞を更に低減できる。
【００４３】
また、凹部３が左右方向に開放されていることから、母線バー支持具１は複数個を左右に並べて使用することができ、例えば、図４に示すように、盤面１０を垂直に立てたときに下側になる端部８１を、２つの母線バー支持具１で支持することができる。このように、母線バー８の幅によっては、母線バー８を複数の母線バー支持具１で支持してもよい。そうすれば、幅広で重い母線バー８であっても、十分な耐荷重でもって支えることができる。
【００４４】
また、本体部２は左右方向の幅Ｗが２５ｍｍの略直方体状をなしているので、２５ｍｍの幅を単位とする協約形ブレーカと混在させて母線バー８の長手方向に沿って（すなわち、図４の符号１Ａで示すように）配設するときに、寸法が合わせ易く配設が容易であり、分電盤の製作が容易である。
【００４５】
次に、他の実施形態に係る母線バー支持具１Ｂについて説明する。母線バー支持具１Ｂは、図５に示すように、凹部３Ｂが上下方向に複数並設された本体部２Ｂと、本体部２Ｂから前方に突出して上下方向に複数並設された短絡防止壁部４Ｂと、本体部２Ｂから後方に突設された三角形状の板状の２つの支持部５Ｂとを、備えている。
【００４６】
本体部２Ｂは、左右方向の幅が２５ｍｍの略直方体状をなし、後部にボルト挿通孔６Ｂが上下方向に穿設されている。
【００４７】
各凹部３Ｂは、前方に開放されるとともに左右方向に開放されているおり、各凹部３Ｂの後面３３Ｂは、全面が閉鎖されている。各凹部３Ｂの後部には、上面に段差を設けることにより、上下方向の幅が前部３２Ｂの上下方向の幅よりも狭小な狭小部３１Ｂが、設けられている。
【００４８】
短絡防止壁部４Ｂは、各凹部３の上面及び下面をそれぞれ延設するように、１つの凹部３に対して２つずつ設けられている。これにより、短絡防止壁部４Ｂは、隣合う凹部３Ｂと凹部３Ｂとの間には２つずつ、最も上の凹部３Ｂと本体部２Ｂの上端部との間には１つ、最も下の凹部３Ｂと本体部２Ｂの下端部との間には１つ、設けられることとなる。
【００４９】
以上のように構成された母線バー支持具１Ｂでも、母線バー支持具１と同様に母線バー８を凹部３Ｂに嵌合するだけで支持できるので、分電盤の製作が容易となる。また、短絡防止壁部４Ｂによって、堆積した埃による短絡の虞を低減できる。また、短絡防止壁部４Ｂを凹部３の上面及び下面をそれぞれ延設するように設けることにより、母線バー８の嵌合の深さが、凹部３Ｂの深さと短絡防止壁部４Ｂの突出長さとを合わせたものとなって、深くなるので、母線バー８の嵌合が確実となる。
【００５０】
なお、本体部２Ｂの角部２１Ｂ、２２Ｂ、及び、短絡防止壁部４Ｂの角部４１Ｂ、４２Ｂは、丸められていないが、これらも丸めることが望ましい。
【００５１】
また、上記各実施形態では、各凹部３、３Ｂの後面３３、３３Ｂを全面閉鎖したが、後面３３、３３Ｂに、必要に応じて、母線バー８が通過不可能な開口部を設けてもよい。すなわち、後面３３、３３Ｂを、母線バー８が通過不可能な開口部以外は閉鎖されているように構成してもよい。そのように構成しても、母線バー８が凹部３、３Ｂから後方に抜脱する虞は無いからである。
【００５２】
また、母線バー支持具１Ｂにおいて、凹部３Ｂの下面に段差を設けることにより狭小部３１Ｂを設けることとしてもよい。また、段差を複数段設けて、後方に行くほど上下方向の幅が狭くなるように構成し、３種以上の厚さの母線バー８に適用可能としてもよい。
【００５３】
また、ボルト挿通孔６、６Ｂは、形成を容易とするために、後方が開放されているが、後方が閉鎖された孔としてもよい。
【００５４】
また、支持部５、５Ｂの形状は三角板状に限られない。例えば、支持部５の形状を本体部２の上端から下端まで及ぶ矩形板状とすれば、上下逆でも用いることができる。かかる場合、本体部２の上端から最も上の凹部３までの距離と、本体部２の下端から最も下の凹部３までの距離とを、異ならせれば、上下逆にすることにより、母線バー８の配置の高さを変えることができる。支持部５、５Ｂを設けないこととしても同様である。
【００５５】
すなわち、実用新案登録請求の範囲を逸脱しない範囲で、本考案は種々の構成を採り得る。
【図面の簡単な説明】
【００５６】
【図１】本考案の母線バー支持具の一実施形態の斜視図である。
【図２】図１の母線バー支持具の平面図である。
【図３】図１の母線バー支持具の側面図であり、母線バーを嵌合して分電盤の盤面に取り付けた状態を示す。
【図４】図１の母線バー支持具を用いて母線バーを支持し盤面に取り付けた例を示す。
【図５】他の実施形態に係る母線バー支持具の斜視図である。
【図６】従来の母線バー支持具の図である。
【符号の説明】
【００５７】
１、１Ｂ…母線バー支持具
２、２Ｂ…本体部
３、３Ｂ…凹部
４、４Ｂ…短絡防止壁部
５、５Ｂ…支持部
８…母線バー
１０…盤面
２１、２２、４１、４２…角部
３１、３１Ｂ…狭小部
３２、３２Ｂ…前部
３３、３３Ｂ…後面
８１…端部
【図１】
0003125664.tif 000003
【図２】
0003125664.tif 000004
【図３】
0003125664.tif 000005
【図４】
0003125664.tif 000006
【図５】
0003125664.tif 000007
【図６】
0003125664.tif 000008